(57)【要約】【課題】記録媒体上の再生リストに基づく再生を行う場合に、再生リストが選択されてから曲が再生されるまでに要する時間を短縮する。【解決手段】再生データが記録された記録媒体の再生を行うための再生装置であって、記録媒体に記録された、再生データの再生の順序を表した再生リストファイルの情報を読み込んで記憶する記憶手段と、記憶手段に記憶された情報に基づいて再生処理を行う再生処理手段と、を備え、記憶手段は、記録媒体に再生リストファイルが所定数より多く存在する場合に、記憶すべき再生リストファイルの数を所定数以下に制限する。記憶手段による記憶の対象となる再生リストファイル数が所定数に限定され、再生リストに基づく再生を行う際の時間が短縮される。【選択図】    図７
2004295927.tif 000002
【特許請求の範囲】
【請求項１】
再生データが記録された記録媒体の再生を行うための再生装置であって、
前記記録媒体に記録された、再生データの再生の順序を表した再生リストファイルの情報を読み込んで記憶する記憶手段と、
前記記憶手段に記憶された情報に基づいて再生処理を行う再生処理手段と、を備え、
前記記憶手段は、前記記録媒体に前記再生リストファイルが所定数より多く存在する場合に、記憶すべき再生リストファイルの数を前記所定数以下に制限すること、
を特徴とする再生装置。
【請求項２】
前記再生リストファイルは作成日付情報を有し、
前記記憶手段は、前記作成日付情報に基づいて、最新のものから順に前記所定数の再生リストファイルの情報を記憶すること、
を特徴とする請求項１に記載の再生装置。
【請求項３】
前記再生装置は、前記記録媒体に記録された再生データの順番で再生を行う通常再生モードと、前記再生リストファイルに基づいて再生を行う再生リスト再生モードとを有し、
前記記憶手段は、所定のユーザ操作により前記再生リスト再生モードが選択された場合に、前記再生リストファイルの情報の記憶を行うこと、
を特徴とする請求項１または請求項２に記載の再生装置。
【請求項４】
前記記憶手段は、前記記録媒体が前記再生装置に挿入された際に、前記再生リストファイルの情報の記憶を行うこと、を特徴とする請求項１または請求項２に記載の再生装置。
【請求項５】
前記記録媒体に記録された再生データは、圧縮オーディオデータであること、を特徴とする請求項１から請求項４のいずれかに記載の再生装置。
【請求項６】
前記記憶手段は、前記再生リストファイルの情報を、前記再生装置内の記憶素子に記憶すること、を特徴とする請求項１から請求項５のいずれかに記載の再生装置。
【発明の詳細な説明】
【０００１】
【発明の属する技術分野】
本発明は、オーディオデータを再生するための機器に関し、詳細には、再生リストを用いた圧縮オーディオデータの再生に関する。
【０００２】
【従来の技術】
近年、オーディオＣＤ（ＣＤ−ＤＡ形式）並みの音質を維持しながらデータ量を圧縮することのできる音声圧縮方式が提案され、これらの方式による圧縮オーディオファイルが記録された記録媒体を再生するための再生機器も提供されつつある。このような圧縮方式としては、ＭＰＥＧ  Ａｕｄｉｏ  Ｌａｙｅｒ−３等が知られている。ＭＰＥＧ  Ａｕｄｉｏ  Ｌａｙｅｒ−３により圧縮されたデータファイルは、ｍｐ３ファイルと呼ばれ、通常はファイルの拡張子として”ｍｐ３”が使用されている。また、このような圧縮オーディオファイルを記録しておく媒体としては、ＣＤ−ＲＯＭ、ＣＤ−Ｒ、ＣＤ−ＲＷ、ＤＶＤ、ハードディスク、メモリカード、フラッシュＲＯＭ等様々な記録媒体を利用できる。
【０００３】
再生リストファイル（プレイリストとも呼ばれる）は、主に、パーソナルコンピュータ（以下、ＰＣと記す）上の音声等に関する再生ソフトウェアの機能によって作成されるファイルであり、ユーザの好みなどによって、例えば、記録媒体中の特定のジャンル、歌手等のデータファイルを再生順にリストアップしたものである。つまり、再生リストは、再生すべき圧縮オーディオファイルの一覧である。再生リストファイルには、所定の拡張子（”ｍ３ｕ”，”ａｓｘ”など）が付けられる。再生リストファイルに基づく再生を行うことによって、記録媒体中の膨大な量の圧縮データファイルの中から、特定のジャンル等のデータファイルのみを再生させることができる。
【０００４】
通常は、このような再生リストファイルは、ＰＣのハードディスク、ＣＤ−Ｒなどに格納され、ＰＣ上では、所定の操作を行うことにより再生リストファイルを選択することによって、再生リストファイルに書かれた曲の順番で再生が行われる。
【０００５】
下記特許文献１には、再生リストに基づく再生を行うことのできる再生機器の構成の例が記載されている。
【０００６】
【特許文献１】
特開２００１−２０２０８５号公報
【０００７】
【発明が解決しようとする課題】
このような、再生リストを用いた再生処理は、表示画面の解像度やサイズ、メモリの容量等が十分なＰＣ上では実現可能であるが、ＣＰＵの処理能力、ＣＤメカの読み込み速度などのスペックがＰＣに比較すると低いカーオーディオやポータブル機器等の小型の再生機器で実現することは困難である。そのため、今まで、ＣＤ−Ｒ上の再生リストに基づく再生を行うことのできるカーオーディオ等は知られていなかった。
【０００８】
具体的には、ＣＤ−Ｒ上の再生リストに基づく再生をカーオーディオ等で行う場合、次のような点が問題となる。すなわち、ＣＤ−Ｒ上の再生リストに基づく再生をカーオーディオ等で行う場合、例えば、ある再生リストに基づいて再生を行っているときに、他の再生リストに切り替え操作されると、新たに選択された再生リストファイルのＣＤ−Ｒからの読み込み、ファイル位置情報の解析などが必要になり、再生までに時間がかかってしまうことである。
【０００９】
通常再生から再生リストに基づく再生への切り替えが行われたときに、ＣＤ−Ｒ内の全ての再生リストファイルを読み込み、ファイル位置情報を解析し、その情報をカーオーディオ内のフラッシュＲＯＭ等に格納しておけば、その後に再生リストに基づく再生を行う際には、再生にまでかかる時間を短縮することは可能である。しかしながら、フラッシュメモリの容量に制限があることから、このようなやり方では、ＣＤ−Ｒに格納された再生リストファイルの数、サイズ等によっては対応できない場合が生じる。
【００１０】
また、たとえＣＤ−Ｒ上のすべての再生リストファイルについてそのファイル位置情報をフラッシュＲＯＭ内に格納できるように、大容量のフラッシュＲＯＭを再生装置内に設けることとしても、再生リストファイルの数が多い場合には、ＣＤメカの読み込み速度等が原因となって、ファイル位置情報を最初に作成する際に時間がかかり、最初に再生リストに基づく再生を行う場合に再生までの時間がかかってしまうことになる。
【００１１】
本発明は以上のような事情に鑑みてなされたものである。すなわち、本発明は、カーオーディオ等のような小型の再生機器において、ＣＤ−Ｒ等の記録媒体上の再生リストに基づく再生を行う場合に、再生リストが選択されてから曲が再生されるまでに要する時間を、上記のようにＣＤ−Ｒ上の再生リストを単に読み込んで再生処理する場合よりも短い時間にすることができる再生装置を提供することを目的とする。
【００１２】
【課題を解決するための手段】
上記目的を達成する為に、再生データが記録された記録媒体の再生を行うための再生装置に、記録媒体に記録された、再生データの再生の順序を表した再生リストファイルの情報を読み込んで記憶する記憶手段と、記憶手段に記憶された情報に基づいて再生処理を行う再生処理手段と、を付加する。この記憶手段は、記録媒体に再生リストファイルが所定数より多く存在する場合に、記憶すべき再生リストファイルの数を前記所定数以下に制限する（請求項１）。記憶手段による記憶の対象となる再生リストファイル数が所定数に限定されるので、記憶すべき再生リストファイルの情報の量を限定することができる。したがって、再生リストに基づく再生を行う際の、再生が実際に開始されるまでの時間を、ユーザが違和感を感じないほどの短い時間とすることが可能である。なお、一旦、再生リストの情報の記憶が行われれば、以後の再生では、記憶手段による記憶の為に要する時間は不要となり、この場合、再生が実際に開始されるまでの時間をさらに短縮することが可能である。
【００１３】
再生リストファイルは作成日付情報を有する場合には、記憶手段は、作成日付情報に基づいて、最新のものから順に所定数の再生リストファイルの情報を記憶する構成とすることができる（請求項２）。
【００１４】
再生装置が、記録媒体に記録された再生データの順番で再生を行う通常再生モードと、再生リストファイルに基づいて再生を行う再生リスト再生モードとを有する構成である場合には、記憶手段は、所定のユーザ操作により再生リスト再生モードが選択された場合に再生リストファイルの情報の記憶を行うように構成されていても良い（請求項３）。
【００１５】
或いは、記憶手段は、前録媒体が再生装置に挿入された際に、再生リストファイルの情報の記憶を行う構成であっても良い（請求項４）。
【００１６】
記録媒体に記録された再生データは、圧縮オーディオデータであっても良い（請求項５）。
【００１７】
記憶手段は、再生リストファイルの情報を、再生装置内の記憶素子に記憶する構成であっても良い（請求項６）。
【００１８】
【発明の実施の形態】
図１は、本発明の実施形態としての、圧縮オーディオ再生機器１００の構成を表す図である。圧縮オーディオ再生機器１００は、記録媒体からデータを読み出し、オーディオＣＤを再生する機能と、ＭＰ３のような圧縮オーディオデータを再生する機能とを兼ね備えた兼用プレーヤとして構成されており、また、ラジオ受信機能をも併せ持っている。最終的に作成されたアナログオーディオ信号は、アンプ８１を介してスピーカ８２に供給され音声が再生される。なお、圧縮オーディオ再生機器１００は、いわゆる１ＤＩＮまたは２ＤＩＮサイズの車載用機器として構成される。
【００１９】
図１を参照し圧縮オーディオ再生機器１００の構成について説明する。圧縮オーディオ再生機器１００は、ＣＤ媒体１（以下、ディスク１と記す）が装着される機構ユニット２を備えている。この機構ユニット２には、ディスク回転用のスピンドルモータ３、ピックアップ４が設けられると共に、詳細には図示していないが、ディスクの有無および定位置の検知機構、ディスクの装着完了の検知機構、ディスクのローディング機構、ピックアップの最内周位置の検知機構、ピックアップ移動用のスピンドルモータ等の機構が設けられている。また、ピックアップ４は、フォーカスコイル、トラッキングコイル、レーザダイオード、光検出器等の構成要素を備えている。スピンドルモータ３、ピックアップ４等の駆動制御およびサーボコントロールが、ＣＤ用信号処理部２０のサーボ制御部２２および機構系制御部５０による制御の下で行われる。
【００２０】
例えばマイクロコンピュータＩＣからなる機構系制御部５０には、ドライバ５、ＣＤ用信号処理部２０、デジタル信号処理部３０、およびフラッシュＲＯＭ５５が続され、機構系制御部５０はこれらの制御を司る。また、機構系制御部５０は、各ディスクのリードインに記録されたＴＯＣ（Ｔａｂｌｅ  Ｏｆ  Ｃｏｎｔｅｎｔｓ）をＣＤ用信号処理部２０から取得し、ディスク１がオーディオＣＤか、ＭＰ３圧縮オーディオファイルが記録されたＣＤ−Ｒかを判定することができるように構成されている。
【００２１】
ピックアップ４では、ＥＦＭ（Ｅｉｇｈｔ−ｔｏ−Ｆｏｕｒｔｅｅｎ  Ｍｏｄｕｌａｔｉｏｎ）変調が施されたＲＦ信号、トラッキング信号、およびフォーカス信号が得られ、これらの信号は、増幅回路であるＲＦアンプ１０を介してＣＤ用信号処理部２０に供給される。トラッキング信号およびフォーカス信号は、ピックアップ４のトラッキングコイル、フォーカスコイルを制御するために用いられる。ＲＦ信号は、オーディオＣＤ（ＣＤ−ＤＡ）のデータかＭＰ３の圧縮データかを判別された後に、オーディオ信号に変換される。なお、ＣＤ用信号処理部２０では、オーディオ信号の再生に必要な各種の基準クロックが生成され、これらの基準クロックが、適宜必要な部分に供給されている。
【００２２】
ＥＦＭデコーダ２１は、ＣＤオーディオデータ（ＣＤ＿ＤＡデータ）をデコードし、それをＬ／Ｒクロック、ビットクロック、シリアルデータの３信号からなるデジタル化されたオーディオ信号に変換する。なお、Ｌ／Ｒクロックは、シリアルデータとして転送される音声サンプリングデータがＬチャネルかＲチャネルかを示すものであり、ＬチャネルデータとＲチャネルデータの時分割周期に対応する周波数を有する。ビットクロックはシリアルデータとして転送される各サンプリングデータの同期クロックである。また、ＥＦＭデコーダ２１は、圧縮オーディオデータを、Ｌ／Ｒクロック、ビットクロックと共にデジタル信号処理部３０に供給する。すなわち、デジタル信号処理部３０に対しては、装着されたディスクがオーディオＣＤの場合には、ＣＤオーディオデータが供給され、装着されたディスクが圧縮オーディデータが記録されたＣＤ−Ｒの場合には、圧縮オーディオデータが供給される。
【００２３】
デジタル信号処理部３０に供給されるデータがＣＤオーディオデータの場合には、バッファメモリであるＲＡＭ４０を利用することによって、いわゆる音跳び防止機能が実行される。この音跳び防止機能は、ＣＤ−ＤＡ音跳び防止部３１による制御の下で、オーディオデータを所定量だけバッファメモリであるＲＡＭ４０に格納し、ＲＡＭ４０からオーディオデータを順次読み出しながら再生を行うようにし、エラー部分については再生中に再度読み出しを行うことによって実現される。デジタル信号処理部３０からのオーディオデータは、Ｄ／Ａコンバータ２３に供給され、ここでアナログオーディオ信号に変換される。
【００２４】
一方、デジタル信号処理部３０に供給されるデータが圧縮オーディオデータである場合には、圧縮データは一旦ＲＡＭ４０に格納された後順次読み出され、ＭＰ３デコーダ３２によって伸長処理される。ここで伸長されたオーディオデータは、Ｄ／Ａコンバータ２３によってアナログオーディオ信号に変換される。このようなデジタル信号処理部３０の機能の切り替えは、機構系制御部５０による制御の下で行われる。なお、フラッシュＲＯＭ５５には、機構系制御部５０が所定の再生機能を達成する上で必要な各種のデータ、および再生リストに基づく再生で必要な各種のデータが格納される。再生リストに基づく再生においてフラッシュＲＯＭ５５に格納されるデータについては後述する。
【００２５】
ホスト側制御部６０には、ラジオ受信ユニット７０、操作部６３、および表示部６５が接続されており、ホスト側制御部６０は、これらの部分の制御を司る。ホスト側制御部６０は、例えばマイクロコンピュータＩＣで構成され、操作部６３からの操作入力に応じてラジオ受信機とＣＤ再生器の機能を切り替えること、操作部６３の操作キーに様々な機能を割り当てること、表示部６５に所定の情報を表示すること等の機能を担う。
【００２６】
図２に、圧縮オーディオ再生機器１００の前面パネルの構成図を示す。図のように前面パネルには、フラット表示パネルからなる表示部６５や、各種の操作ボタンが設けられている。圧縮オーディオ再生機器１００が、ラジオ受信機として動作する場合には、操作ボタン８１−８５はそれぞれ所定のチャンネルに割り当てられ、ホスト側制御部６０は、操作された操作ボタンに対応するチャンネルの放送が選択されるようにラジオ受信ユニット７０を制御する。
【００２７】
ホスト側制御部６０と機構系制御部５０は互いに接続され、適宜、データ或いは制御情報の受け渡しを行い、圧縮オーディオ再生機器１００が所定の機能を達成するように連携して動作する。
【００２８】
図３、５、７および８は、圧縮オーディオ再生機器１００における、圧縮オーディオデータが格納されたＣＤ−Ｒを再生する場合の動作に関するフローチャートである。以下、図３〜８を参照して圧縮オーディオ再生機器１００における再生リストに基づく再生の動作について説明する。以下で説明するように、圧縮オーディオ再生機器１００では、ＣＤ−Ｒの挿入時に作成されるファイル位置情報１０１（図４）、および再生リスト再生モードが始めて選択された時に作成される再生リストデータ１１１（図６）が、フラッシュＲＯＭ５５内に格納され、再生リストに基づく再生を行う為に用いられる。
【００２９】
図３は、ＣＤ−Ｒ媒体が挿入された際に実行される、ファイル位置情報作成処理を表すフローチャートである。図３に示すように、圧縮オーディオ再生機器１００は、圧縮オーディオデータが記録されたＣＤ−Ｒが挿入されるとローディングを行い、再生リストファイルの有無解析を行い、また、ＣＤ−Ｒ内の所定の領域に記録されたパステーブルの情報を読み込む（Ｓ１１）。
【００３０】
なお、再生リストは、再生すべき圧縮オーディオファイルのファイル名（パス情報）が、再生順に並べられた構造になっている。下記に、再生リストファイルの内容の例を示す。下記の再生リストファイルには４つのパス情報が含まれている。
2004295927.tif 000003
【００３１】
次に、読み込んだパステーブルの情報に基づいてファイル位置情報１０１を作成し（Ｓ１２）、フラッシュＲＯＭ５５に格納しておく（Ｓ１３）。この処理を、パステーブル内の全てのオーディオデータファイルについて実行する（ステップＳ１４）。
【００３２】
図３の処理で作成されるファイル位置情報１０１の例を図４に示す。図４に示すように、ファイル位置情報１０１は、フラッシュＲＯＭのアドレス（符号９１）、通し番号（符号９２）、ファイル位置（符号９３）からなり、フラッシュＲＯＭのアドレス５０ｈ番地単位で、各圧縮オーディオデータファイルのファイル位置の情報が記録される。それぞれの圧縮オーディオデータには通し番号が付けられる。
【００３３】
圧縮オーディオ再生機器１００に対して所定の操作を行うことにより、圧縮オーディオ再生機器１００は再生リスト再生モードとなる。図５は、圧縮オーディオ再生機器１００が起動後、初めて再生リスト再生モードに設定されたときに実行されることになる再生リストデータ作成処理の動作を表すフローチャートである。
【００３４】
図５に示すように、圧縮オーディオ再生機器１００が再生リスト再生モードに設定されると、まず、ＣＤ−Ｒ内の再生リストファイルが読み込まれる（Ｓ２１）。次に、再生リストファイルに書き込まれた圧縮オーディオデータのパス情報が、フラッシュＲＯＭ内のファイル位置情報１０１内に書き込まれているかどうかを検索し（Ｓ２２）、存在するならば、すなわち、再生リストファイル内のパス情報に一致するファイル位置（符号９３）を持つ圧縮オーディオデータがフラッシュＲＯＭ５５に存在する場合には（Ｓ２３：ＹＥＳ）、その圧縮オーディオデータの通し番号を、再生リストデータとして、フラッシュＲＯＭ内の所定のアドレスに書き込む（Ｓ２４）。
【００３５】
このような処理を、一つの再生リストファイル内のすべての圧縮オーディオデータについて実行する（Ｓ２５）。さらに、図５の例では、再生リストファイルがＣＤ−Ｒ上に複数存在する場合には、再生リストファイル５つ分まで、再生リストデータ１１１を作成することとしている（Ｓ２６）。
【００３６】
図６は、再生リストデータ作成処理（図５）によって作成される再生リストデータの例を表している。図６は、５つの再生リスト（ＰＬＡＹ  ＬＩＳＴ１〜５）について作成された再生リストデータの例である。図６に示すように、再生リストデータ１１１は、圧縮オーディオデータの通し番号（符号９２）が、再生リストファイル内の再生順に記録されたデータである。再生リストデータ１１１は、フラッシュＲＯＭのアドレス２０００ｈ番地から記録されている。第１番目の再生リスト（ＰＬＡＹ  ＬＩＳＴ１）のデータは、２０００ｈ番地から、第２番目の再生リスト（ＰＬＡＹ  ＬＩＳＴ２）のデータは、２１００ｈ番地から、第３番目の再生リスト（ＰＬＡＹ  ＬＩＳＴ３）のデータは、２２００ｈ番地から、第４番目の再生リスト（ＰＬＡＹ  ＬＩＳＴ４）のデータは、２３００ｈ番地から、第５番目の再生リスト（ＰＬＡＹ  ＬＩＳＴ５）のデータは、２４００ｈ番地から、それぞれ格納される。すなわち、図６の再生リストデータの例では、１つの再生リストについて２５６個分の記憶領域が確保されている。
【００３７】
上述のように、圧縮オーディオ再生機器１００に対して所定の操作を行うことにより、圧縮オーディオ再生機器１００は再生リスト再生モードとなる。図７は、圧縮オーディオ再生機器１００が再生リスト再生モードに設定された際に実行される処理（再生リスト再生モードＯＮ処理）を表すフローチャートである。図７に示すように、再生リスト再生モードへの設定が行われると、まず、再生リストデータが作成済みであるかどうかが判定される（Ｓ３１）、その結果、再生リストデータが未作成である場合には（Ｓ３１：ＮＯ）、再生リストデータ作成処理（図５）が実行される（Ｓ３２）。
【００３８】
再生リストデータ１１１が作成済である場合には（Ｓ３１：ＹＥＳ）、その再生リストデータを読み込む（Ｓ３３）。例えば、所定の操作により、再生リスト再生モードにおいてＰＬＡＹ  ＬＩＳＴ１が選択されているものとすると、ステップＳ３３で読み込まれる再生リストデータは、ＰＬＡＹ  ＬＩＳＴ１についてのものとなる。次に、ステップＳ３４では、読み込まれた再生リストデータ内の通し番号により、フラッシュＲＯＭ５５内のファイル位置情報１０１を検索して、再生すべき圧縮オーディオデータの位置情報を取得する。そして、得られた位置情報によりＣＲ−Ｒ内のファイルにアクセスし再生処理を行う（Ｓ３５）。
【００３９】
圧縮オーディオ再生機器１００は、再生リストを選択するための再生リストＵＰ／ＤＯＷＮ操作、再生リスト内の曲を選択するためのＵＰ／ＤＯＷＮ操作を行うことができるように構成されている。ファイル位置情報１０１、および再生リストデータ１１１が作成された後では、再生リストのＵＰ／ＤＯＷＮ操作、曲のＵＰ／ＤＯＷＮ操作がされたときに、ファイル位置情報１０１内の位置情報で指定されているファイルにアクセスすることで、ユーザ選択された再生リスト或いは曲を迅速に再生することが可能である。この場合、ＣＤ−Ｒ上の再生リストの読み込み、再生の処理は行わなくても良いので、再生リストの選択から実際に再生が行われるまでの時間が短縮されることになる。
【００４０】
図８は、１つの再生リストを再生中に、再生リストのＵＰ／ＤＯＷＮ操作が行われた場合の動作を表すフローチャートである。１つの再生リストを再生中に再生リストのＵＰ／ＤＯＷＮ操作が行われ、新たな再生リストが選択されると、ステップＳ４１では、指定された再生リストのデータが、再生リストデータ１１１から読み込まれる（Ｓ４１）。次にステップＳ４２では、読み込まれた再生リストデータ内の通し番号により、フラッシュＲＯＭ５５内のファイル位置情報１０１を検索して、再生すべき圧縮オーディオデータのファイル位置を取得する。そして、取得されたファイル位置によりＣＲ−Ｒ内のファイルにアクセスし再生処理を行う（Ｓ４３）。
【００４１】
一旦再生リストデータ１１１が作成されれば、圧縮オーディオ再生機器１００を通常再生モードに戻した後に再度、再生リスト再生モードに設定された場合には、すなわち、２回目以降の再生リストの再生では、ＣＤ−Ｒからの再生リストファイルの読み込み、解析、ファイル位置情報の作成、およびフラッシュＲＯＭ５５への情報の書込みの処理は必要ないので、１回目の再生リストの再生よりも迅速に曲の再生を行うことができる。
【００４２】
なお、図５の再生リストデータ作成処理では、再生リストファイルは、５つまで記録することとしているが、これは、あまり多くの再生リストファイルについて再生リストデータに記録することとすると、再生リストデータ作成処理に要する時間が長くなることを考慮し、再生リストファイルを記録する数として実用的な値を選択したものである。したがって、ＣＤ−Ｒ上に６つ以上の再生リストファイルが存在する場合には、タイムスタンプの新しいものから順に５つの再生リストファイルについて再生リストデータ１１１に記録することとしても良い。なお、この５つという値は、一つの例であり、他の値とすることもできる。
【００４３】
このように、再生リストデータ１１１に記録される再生リストファイルの数が限定されている為、最初に再生リスト再生モードが選択された場合（１回目の再生リストに基づく再生が行われる場合）、再生リストデータの作成のための時間は必要であるが、曲の再生までに要する時間は比較的短くなり、ユーザが違和感を感じるほどにはならない。そして、一旦、再生リストデータ１１１が作成された後の、２回目以降の再生リストに基づく再生では、既に作成されている再生リストデータ１１１を用いることができるので、１回目の再生リストに基づく再生よりもさらに迅速に曲の再生を開始することが可能になる。
【００４４】
以上説明した本発明の実施形態は、カーオーディオにおいてＣＤ−Ｒに記録された再生リストファイルに基づく再生に関して記載されてきたが、本発明は、カーオーディオ以外の再生装置にも適用可能であり、またＣＤ−Ｒ以外の他の種類の記録媒体、例えばＣＤ−ＲＯＭ、ＣＤ−ＲＷ、ＤＶＤ、ハードディスク、メモリカード、フラッシュメモリ等が用いられる場合にも同様に適用可能である。
【００４５】
また、本発明は、圧縮オーディオデータに限らず、記録媒体上の様々な再生用データについて再生を行う再生装置に適用することができる。
【００４６】
【発明の効果】
以上説明したように本発明によれば、再生リストに基づく再生が行われる場合の、曲の再生までに要する時間を、記録媒体上の再生リストを単に読み込んで再生処理する場合よりも短縮することが可能である。
【図面の簡単な説明】
【図１】本発明の実施形態としての、圧縮オーディオ再生機器の構成を表す図である。
【図２】図１の圧縮オーディオ再生機器の前面パネルの構成を表す図である。
【図３】ＣＤ−Ｒ媒体が挿入された際に実行される、ファイル位置情報作成処理を表すフローチャートである。
【図４】図３の処理で作成されるファイル位置情報の例を表す図である。
【図５】圧縮オーディオ再生機器が起動後、初めて再生リスト再生モードに設定されたときに実行されることになる再生リストデータ作成処理の動作を表すフローチャートである。
【図６】図５の再生リストデータ作成処理によって作成される再生リストデータの例を表す図である。
【図７】圧縮オーディオ再生機器が再生リスト再生モードに設定された際に実行される処理（再生リスト再生モードＯＮ処理）を表すフローチャートである。
【図８】１つの再生リストを再生中に、再生リストのＵＰ／ＤＯＷＮ操作が行われた場合の動作を表すフローチャートである。
【符号の説明】
２  機構ユニット
１０  ＲＦアンプ
２０  ＣＤ用信号処理部
３０  デジタル信号処理部
４０  ＲＡＭ
５０  機構系制御部
５５  フラッシュＲＯＭ
６０  ホスト側制御部
６３  操作部
６５  表示部
１００  オーディオ再生機器
【図１】
2004295927.tif 000004
【図２】
2004295927.tif 000005
【図３】
2004295927.tif 000006
【図４】
2004295927.tif 000007
【図５】
2004295927.tif 000008
【図６】
2004295927.tif 000009
【図７】
2004295927.tif 000010
【図８】
2004295927.tif 000011